(57)【要約】【課題】購入検討商品を実際の部屋に配置した時の雰囲気や調和性を確かめたり、部屋のサイズに適合するか否かを確かめながら商品を購入できるようにする。【解決手段】ＣＰＵ１は、家具情報ファイル、家具画像ファイル、部屋情報ファイル、部屋画像ファイルを参照し、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置し、この合成画像を表示装置６に表示出力させることによって顧客に対して案内する。【選択図】  図１
2004318359.tif 000002
【特許請求の範囲】
【請求項１】
商品の販売促進を支援する商品販売装置であって、
商品を撮影した商品画像と顧客の部屋を撮影した部屋画像とを合成する際に、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置する画像処理手段と、
この画像処理手段によって得られた合成画像を顧客に対して案内出力する案内手段と、
を具備したことを特徴とする商品販売装置。
【請求項２】
ネットワークを介して接続されている顧客側の端末から購入検討商品が指定された場合に、この指定商品に関する情報を当該顧客へ案内提供することによって商品販売を行う商品販売システムであって、
顧客から購入検討商品が指定された場合に、その指定商品対応の商品画像と商品サイズを取得する商品情報取得手段と、
顧客から購入検討商品を配置する部屋の画像を受信取得する部屋画像取得手段と、
前記購入検討商品の商品画像と前記顧客の部屋画像とを合成する際に、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置する画像処理手段と、
この画像処理手段によって得られた合成画像を顧客側の端末へ案内出力する案内手段と、
を具備したことを特徴とする商品販売システム。
【請求項３】
前記画像処理手段は、前記部屋画像内に合成された商品画像の配置位置の変更が指定された場合に、部屋内の指定場所へ商品画像を移動してその配置位置を変更する、
ようにしたことを特徴とする請求項１記載の商品販売装置あるいは請求項２記載の商品販売システム。
【請求項４】
前記部屋のサイズは、部屋の全体サイズあるいは商品を実際に設置する部屋内の場所サイズであり、顧客側から提供されたサイズに関する入力情報あるいは部屋画像内に含まれている判定対象物を解析することによって得られた当該対象物のサイズを基準として算出された生成情報である、
ことを特徴とする請求項１記載の商品販売装置あるいは請求項２記載の商品販売システム。
【請求項５】
商品の販売促進を支援する商品販売装置であって、
商品を設置する部屋の実サイズと商品の実サイズとの比率に基づいて商品を適正に配置可能か否かを判別する判別手段と、
この判別手段によって配置不能であることが判別された場合には、同種の他の商品を指定する指定手段と、
を具備し、前記指定手段によって指定された商品の実サイズと部屋の実サイズとに基づいて当該指定商品を適正に配置可能か否かを判別する動作を繰り返した結果、適正に配置可能な商品であることが判別された場合には、その商品を顧客に対して案内する、
ようにしたことを特徴とする商品販売装置。
【請求項６】
ネットワークを介して接続されている顧客側の端末から購入検討商品が指定された場合に、この指定商品に関する情報を当該顧客へ案内提供することによって商品販売を行う商品販売システムであって、
顧客から購入検討商品が指定された場合に、その指定商品の実サイズを取得する商品サイズ取得手段と、
顧客から購入検討商品を配置する部屋の実サイズを受信取得する部屋サイズ取得手段と、
商品を設置する部屋の実サイズと商品の実サイズとの比率に基づいて商品を適正に配置可能か否かを判別する判別手段と、
この判別手段によって配置不能であることが判別された場合には、同種の他の商品を指定する指定手段と、
を具備し、前記指定手段によって指定された商品の実サイズと部屋の実サイズとに基づいて当該指定商品を適正に配置可能か否かを判別する動作を繰り返した結果、適正に配置可能な商品であることが判別された場合には、その商品を顧客側の端末に対して案内出力する、
ようにしたことを特徴とする商品販売システム。
【請求項７】
前記部屋の実サイズは、部屋の全体サイズあるいは商品を実際に設置する部屋内の場所サイズである、
ことを特徴とする請求項５記載の商品販売装置あるいは請求項５記載の商品販売システム。
【請求項８】
コンピュータに対して、
商品を撮影した商品画像と顧客の部屋を撮影した部屋画像とを合成する際に、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置する機能と、
この合成画像を顧客に対して案内出力する機能と、
を実現させるためのプログラム。
【請求項９】
コンピュータに対して、
顧客から購入検討商品が指定された場合に、その指定商品対応の商品画像と商品サイズを取得する機能と、
顧客から購入検討商品を配置する部屋の画像を受信取得する機能と、
前記購入検討商品の商品画像と前記顧客の部屋画像とを合成する際に、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置する機能と、
この合成画像を顧客側の端末へ案内出力する機能と、
を実現させるためのプログラム。
【請求項１０】
コンピュータに対して、
商品を設置する部屋の実サイズと商品の実サイズとの比率に基づいて商品を適正に配置可能か否かを判別する機能と、
配置不能であることが判別された場合には、同種の他の商品を指定する機能と、
指定された商品の実サイズと部屋の実サイズとに基づいて当該指定商品を適正に配置可能か否かを判別する動作を繰り返した結果、適正に配置可能な商品であることが判別された場合には、その商品を顧客に対して案内する機能と、
を実現させるためのプログラム。
【請求項１１】
コンピュータに対して、
顧客から購入検討商品が指定された場合に、その指定商品の実サイズを取得する機能と、
顧客から購入検討商品を配置する部屋の実サイズを受信取得する機能と、
商品を設置する部屋の実サイズと商品の実サイズとの比率に基づいて商品を適正に配置可能か否かを判別する機能と、
この結果、配置不能であることが判別された場合には、同種の他の商品を指定する機能と、
指定された商品の実サイズと部屋の実サイズとに基づいて当該指定商品を適正に配置可能か否かを判別する動作を繰り返した結果、適正に配置可能な商品であることが判別された場合には、その商品を顧客側の端末に対して案内出力する機能と、
を実現させるためのプログラム。
【発明の詳細な説明】
【０００１】
【発明の属する技術分野】
この発明は、商品の販売促進を支援する商品販売装置および商品販売システム並びにプログラムに関する。
【０００２】
【従来の技術】
従来、例えば、室内レイアウトの景観をコンピュータグラフィックスによって表示するようにしたインテリアレイアウト・シミュレータが知られている（特許文献１参照）。この種のシミュレータは、コンピュータグラフィックスによって室内レイアウトの３次元カラー画像を作成した後に、色変更、素材変更、家具レイアウト変更、太陽光変更、人口光変更、視野変更に応じて画像の表示内容を変化させるようにしている。
【０００３】
【特許文献１】
特開平０８−０１６６５３号公報
【０００４】
【発明が解決しようとする課題】
しかしながら、この種のシミュレータは、室内の立面図、平面図から室内レイアウトの３次元画像を作成するようにしている為、室内の大きさや家具の配置状態を忠実に再現することができたとしても、その雰囲気は実際とは大きく異なってしまう。
ところで、一般に、家具、カーペット、カーテン、家電製品等の購入を検討している顧客にあっては、店舗に出向き、商品の素材、デザイン、色、質感等を商品毎に確かめて好みの商品を選び、実際の部屋を想像しながら希望商品を配置した時の雰囲気や調和性を確かめるようにしている。また、部屋の全体サイズや設置予定の場所サイズを事前に計測しておき、商品サイズと照らし合わて配置可能か否かを確かめるようにしている。この場合、雰囲気や調和性は極めて微妙なものであり、実際の部屋をイメージしながらの判断では細部にわたって正確に判断することが困難となり、また、サイズ判断でも見間違えの危険性があった。この結果、購入後において商品を実際に部屋内に配置した際に、部屋の雰囲気に合わなかったり、サイズ的に適合しないことが判明することもあった。
【０００５】
第１の発明の課題は、店舗内において購入検討商品を実際の部屋に配置した時の雰囲気や調和性を確かめたり、部屋のサイズに適合するか否かを確かめながら商品を購入できるようにすることである。
第２の発明の課題は、ネットワークを介して商品を購入する場合に、購入検討商品を実際の部屋に配置した時の雰囲気や調和性を確かめたり、部屋のサイズに適合するか否かを確かめながら商品を購入できるようにすることである。
第３の発明の課題は、店舗内において顧客自身が部屋のサイズに適合するか否かを確かめなくても、部屋の実サイズに適合する商品のみを案内できるようにすることである。
第４の発明の課題は、ネットワークを介して商品を購入する場合に、顧客自身が部屋のサイズに適合するか否かを確かめなくても、部屋の実サイズに適合する商品のみを案内できるようにすることである。
【０００６】
【課題を解決するための手段】
請求項１記載の発明（第１の発明）は、商品の販売促進を支援する商品販売装置であって、商品を撮影した商品画像と顧客の部屋を撮影した部屋画像とを合成する際に、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置する画像処理手段と、この画像処理手段によって得られた合成画像を顧客に対して案内出力する案内手段とを具備するものである。
更に、コンピュータに対して、上述した請求項１記載の発明に示した主要機能を実現させるためのプログラムを提供する（請求項８記載の発明）。
【０００７】
したがって、請求項１、８記載の発明は、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置し、この合成画像を顧客に対して案内出力するようにしたから、顧客にあっては、購入検討商品を実際の部屋に配置した時の雰囲気や調和性を確かめたり、部屋のサイズに適合するか否かを確かめながら商品を購入することができ、現実味のあるリアルティに富んだ商品選択によって返品等の問題を解消することができる他、購買意欲の高まりによって販売促進も期待することが可能となる。
【０００８】
請求項２記載の発明（第２の発明）は、ネットワークを介して接続されている顧客側の端末から購入検討商品が指定された場合に、この指定商品に関する情報を当該顧客へ提供することによって商品販売を行う商品販売システムであって、顧客から購入検討商品が指定された場合に、その指定商品対応の商品画像と商品サイズを取得する商品情報取得手段と、顧客から購入検討商品を配置する部屋の画像を受信取得する部屋画像取得手段と、前記購入検討商品の商品画像と前記顧客の部屋画像とを合成する際に、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置する画像処理手段と、この画像処理手段によって得られた合成画像を顧客側の端末へ案内出力する案内手段とを具備するものである。
更に、コンピュータに対して、上述した請求項２記載の発明に示した主要機能を実現させるためのプログラムを提供する（請求項９記載の発明）。
【０００９】
したがって、請求項２、９記載の発明は、ネットワークを介して商品販売を行う商品販売システムにおいて、顧客から購入検討商品が指定された場合に、その指定商品対応の商品画像と商品サイズを取得すると共に、顧客から購入検討商品を配置する部屋の画像を受信取得した後に、この商品を設置する部屋のサイズと商品のサイズとの比率に応じて画像サイズを調整したり、部屋を撮影した撮影方向に応じて商品画像を回転処理することによって商品画像の向きを部屋画像の撮影方向に調整して当該商品画像を部屋画像内に合成配置し、この合成画像を顧客側の端末へ案内出力するようにしたから、ネットワークを介して商品を購入する場合においても、顧客は、購入検討商品を実際の部屋に配置した時の雰囲気や調和性を確かめたり、部屋のサイズに適合するか否かを確かめながら商品を購入することができ、現実味のあるリアルティに富んだ商品選択によって返品等の問題を解消することができる他に、購買意欲の高まりによって販売促進も期待することが可能となる。
【００１０】
なお、請求項１記載の発明あるいは請求項２記載の発明は次のようなものであってもよい。
前記画像処理手段は、前記部屋画像内に合成された商品画像の配置位置の変更が指定された場合に、部屋内の指定場所へ商品画像を移動してその配置位置を変更する（請求項３記載の発明）。
したがって、請求項３記載の発明によれば、請求項１あるいは２記載の発明と同様の効果を有する他に、部屋内の指定場所へ商品画像を移動してその配置位置を変更することができるので、場所毎に置いた時の調和や雰囲気を確かめながら最適な位置に商品を配置し直すことができ、商品購入後の再配置等の手間もなくなる。
【００１１】
前記部屋のサイズは、部屋の全体サイズあるいは商品を実際に設置する部屋内の場所サイズであり、顧客側から提供された実サイズに関する入力情報あるいは部屋画像内に含まれている判定対象物を解析することによって得られた当該対象物のサイズを基準として算出された生成情報である（請求項４記載の発明）。
したがって、請求項４記載の発明によれば、請求項１あるいは２記載の発明と同様の効果を有する他に、顧客側から提供された部屋の全体サイズあるいは商品を実際に設置する部屋内の場所サイズに基づいて画像サイズを調整したり、部屋画像内に含まれている判定対象物（例えば、一般的な電化製品、インテリア製品、煙草の箱、窓枠等）を解析することによって得られた当該対象物のサイズを基準として算出された部屋の全体サイズあるいは商品を実際に設置する部屋内の場所サイズに基づいて画像サイズを調整することができる。
【００１２】
請求項５記載の発明（第３の発明）は、商品の販売促進を支援する商品販売装置であって、商品を設置する部屋の実サイズと商品の実サイズとの比率に基づいて商品を適正に配置可能か否かを判別する判別手段と、この判別手段によって配置不能であることが判別された場合には、同種の他の商品を指定する指定手段とを具備し、前記指定手段によって指定された商品の実サイズと部屋の実サイズとに基づいて当該指定商品を適正に配置可能か否かを判別する動作を繰り返した結果、適正に配置可能な商品であることが判別された場合には、その商品を顧客に対して案内することを特徴とするものである。
更に、コンピュータに対して、上述した請求項５記載の発明に示した主要機能を実現させるためのプログラムを提供する（請求項１０記載の発明）。
【００１３】
したがって、請求項５、１０記載の発明は、商品を設置する部屋の実サイズと商品の実サイズとの比率に基づいて商品を適正に配置可能か否かを判別した結果、配置不能であれば、同種の他の商品を指定した後に、この指定商品の実サイズと部屋の実サイズとに基づいて当該指定商品を適正に配置可能か否かを判別する動作を繰り返し、適正に配置可能であれば、その商品を顧客に対して案内するようにしたから、ネットワークを介して商品を購入する場合に、顧客自身が部屋のサイズに適合するか否かを１つずつ確かめなくても、部屋の実サイズに適合する商品のみを即座に知ることができ、効率の良い買い物が可能となる。この場合、前記部屋の実サイズは、部屋の全体サイズであってもよく、また、商品を実際に設置する部屋内の場所サイズであってもよい（請求項７記載の発明）。
【００１４】
請求項６記載の発明（第４の発明）は、ネットワークを介して接続されている顧客側の端末から購入検討商品が指定された場合に、この指定商品に関する情報を当該顧客へ提供することによって商品販売を行う商品販売システムであって、顧客から購入検討商品が指定された場合に、その指定商品の実サイズを取得する商品サイズ取得手段と、顧客から購入検討商品を配置する部屋の実サイズを受信取得する部屋サイズ取得手段と、商品を設置する部屋の実サイズと商品の実サイズとの比率に基づいて商品を適正に配置可能か否かを判別する判別手段と、この判別手段によって配置不能であることが判別された場合には、同種の他の商品を指定する指定手段とを具備し、前記指定手段によって指定された商品の実サイズと部屋の実サイズとに基づいて当該指定商品を適正に配置可能か否かを判別する動作を繰り返した結果、適正に配置可能な商品であることが判別された場合には、その商品を顧客側の端末に対して案内出力することを特徴とするものである。
更に、コンピュータに対して、上述した請求項６記載の発明に示した主要機能を実現させるためのプログラムを提供する（請求項１１記載の発明）。
【００１５】
したがって、請求項６、１１記載の発明は、ネットワークを介して商品販売を行う商品販売システムにおいて、商品を設置する部屋の実サイズと商品の実サイズとの比率に基づいて商品を適正に配置可能か否かを判別した結果、配置不能であれば、同種の他の商品を指定した後に、この指定商品の実サイズと部屋の実サイズとに基づいて当該指定商品を適正に配置可能か否かを判別する動作を繰り返し、適正に配置可能であれば、その商品を顧客に対して案内するようにしたから、顧客自身が部屋のサイズに適合するか否かを１つずつ確かめなくても、部屋の実サイズに適合する商品のみを即座に知ることができ、効率の良い買い物が可能となる。この場合、前記部屋の実サイズは、部屋の全体サイズであってもよく、また、商品を実際に設置する部屋内の場所サイズであってもよい（請求項７記載の発明）。
【００１６】
【発明の実施の形態】
（第１実施形態）
以下、図１〜図９を参照してこの発明の第１実施形態を説明する。
図１は、この実施形態における店舗（家具店）内に設置されている商品販売装置の基本的構成要素を示したブロック図である。
この商品販売装置は、家具の販売促進を支援する為に商品を撮影した商品画像と顧客の部屋を撮影した部屋画像とを合成して案内表示するようにしたものである。すなわち、商品販売装置は、顧客所持の携帯電話やＰＤＡ等の携帯情報端末あるいはＤＶＤ等の記録媒体から顧客の部屋画像等を取り込むと共に、顧客から指定された購入検討商品の商品画像を読み出し、この商品画像を部屋画像内に配置した合成画像を生成して案内表示することによって、店舗内において購入検討商品を実際の部屋に配置した時の雰囲気や調和性を確かめたり、部屋のサイズに適合するか否かを確かめながら商品を購入できるようにしたものである。
なお、この実施形態の特徴部分を詳述する前に、この実施形態のハードウェア上の構成について以下、説明しておく。
【００１７】
ＣＰＵ１は、記憶装置２内のオペレーティングシステムや各種アプリケーションソフトにしたがってこの商品販売装置の全体動作を制御する中央演算処理装置である。記憶装置２は、プログラム記憶領域とデータ記憶領域とを有し、磁気的、光学的、半導体メモリ等やその駆動系によって構成されている。この記録装置２はハードディスク等の固定的なメモリの他、ＣＤ−ＲＯＭ、ＤＶＤ等の着脱自在な記憶媒体を装着可能な構成であってもよい。この記憶装置２内のプログラムやデータは、必要に応じてＲＡＭ（例えば、スタティックＲＡＭ）３にロードされたり、ＲＡＭ３内のデータが記憶装置２にセーブされる。なお、ＲＡＭ３は、プログラム実行領域と作業領域とを有している。更に、ＣＰＵ１は通信装置４を介して他の電子機器側のプログラム／データを直接アクセスして使用したり、通信装置４を介してダウンロード受信することもできる。通信装置４は、例えば、通信モデムや赤外線モジュールあるいはアンテナ等を含む有線／無線の通信インターフェイスである。
【００１８】
一方、ＣＰＵ１にはその入出力周辺デバイスである入力装置５、表示装置６、印字装置７、ＣＣＤカメラ８、顧客情報入力装置９がバスラインを介して接続されており、入出力プログラムにしたがってＣＰＵ１はそれらの動作を制御する。
入力装置５はキーボードやタッチパネルあるいはマウスやタッチ入力ペン等のポインティングデバイスを構成する操作部であり、文字列データや各種コマンドを入力する。表示装置６は、フルカラー表示を行う液晶表示装置やＣＲＴ表示送信あるいはプラズマ表示装置などであり、印字装置７は、伝票発行用の熱転写やインクジェットなどのノンインパクトプリンタあるいはドットインパクトプリンタである。
【００１９】
ＣＣＤカメラ８は、撮像素子としてのＣＣＤエリアセンサを利用して、被写体像をデジタル画像に変換する高画質のカラースチルカメラであり、任意に取り外し可能となっており、各商品を撮影する際に使用される。このＣＣＤカメラ８から供給された各種の商品画像は、ＣＰＵ１へ転送される。
顧客情報入力装置９は、顧客所持の携帯電話やＰＤＡ等の携帯情報端末あるいはＤＶＤ等の記録媒体が差し込まれた際に、顧客によって撮影された部屋の画像やその部屋に関するサイズ情報を読み取ってＣＰＵ１へ転送する為の入力デバイスである。
【００２０】
図２は、記憶装置２内に格納されている各種のファイルを示した図であり、この記憶装置２内には、家具情報ファイル１１、家具画像ファイル１２、部屋情報ファイル１３、部屋画像ファイル１４等が記憶管理されている。
図３〜図６は、家具情報ファイル１１、家具画像ファイル１２、部屋情報ファイル１３、部屋画像ファイル１４の内容を説明する為の図である。
【００２１】
家具情報ファイル１１は、販売対象の各商品毎に、その商品に関する情報を記憶管理するもので、商品毎に「商品コード」、「商品名」、「横幅寸法」、「高さ寸法」、「奥行き寸法」、「商品種別分類」、「アイテム分類」等の各項目を有している。なお、商品サイズは、ｃｍ単位の実測値である。また、「商品種別分類」は、例えば、食卓セット、リビング用ソファセット等のように商品種別のジャンル分類であり、更に、「アイテム分類」は、例えば、素材、サイズ、色等が相違する同種の商品群をグループ分けする為の細目分類である。
家具画像ファイル１２は、販売対象の各商品毎に、ＣＣＤカメラ８によって予め撮影された商品画像（家具画像）を記憶管理するもので、商品毎に、「商品コード」と「画像情報」とを対応付けて記憶する構成となっている。
【００２２】
部屋情報ファイル１３は、得意先顧客毎に、その部屋のサイズに関する情報を蓄積管理するもので、ＣＰＵ１は、顧客情報入力装置９から転送されて来た顧客に関する情報のうち、部屋のサイズに関する情報を抽出して部屋情報ファイル１３内に登録保管するようにしている。この部屋情報ファイル１３は、「ユーザ名」、「部屋名称」、「部屋サイズ」の各項目を有し、顧客毎に複数の部屋に対応付けてその「部屋名称」、「部屋サイズ」を記憶可能な構成となっている。この場合における「部屋サイズ」は、顧客によってスケール計測された部屋全体の実サイズ（ｃｍ単位の実測値）であり、「横幅寸法：Ｗ」、「奥行き寸法：Ｌ」、「高さ寸法：Ｈ」を有している。
【００２３】
部屋画像ファイル１４は、得意先顧客毎に、その部屋を撮影した撮影画像に関する情報を蓄積管理するもので、ＣＰＵ１は、顧客情報入力装置９から転送されて来た顧客に関する情報のうち、部屋画像に関する情報を抽出して部屋画像ファイル１４内に登録保管するようにしている。この部屋画像ファイル１４は、「ユーザ名」、「部屋名称」、「撮影方向（撮影角度を含む）」、「照明」、「画像情報」の各項目を有し、顧客毎に複数の部屋に対応付けてその「部屋名称」、「撮影方向」、「照明」、「画像情報」を記憶可能な構成となっている。「撮影方向」は、例えば、北東方向から撮影し、下向き４５度から撮影した等、東西南北の３２方向のうち、どの向きから撮影したかを示す他に、水平に対する上下の撮影角度を示している。「照明」は、撮影時における照明のオン／オフ状態を示している。「画像情報」は、顧客が撮影した部屋画像である。
【００２４】
上述の家具情報ファイル１１、家具画像ファイル１２、部屋情報ファイル１３、部屋画像ファイル１４を参照し、商品画像と顧客の部屋画像とを合成する際に、ＣＰＵ１は、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置するようにしている。また、ＣＰＵ１は、部屋画像内に合成された商品画像の配置位置の変更が指定された場合に、部屋内の指定場所へ商品画像を移動してその配置位置を変更するようにしている。
【００２５】
次に、この第１実施形態における商品販売装置の動作概念を図７〜図９に示すフローチャートを参照して説明する。ここで、これらのフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。このことは後述する他の実施形態においても同様であり、記録媒体の他、伝送媒体を介して外部供給されたプログラム／データを利用してこの実施形態特有の動作を実行することもできる。
【００２６】
図７〜図９は、商品画像と部屋画像とを合成した合成画像を生成して案内表示する場合の動作を示したフローチャートであり、電源投入に応じて実行開始される。
先ず、ＣＰＵ１は、家具の種類名（食卓セット、リビング用のソファセット等）を一覧表示する初期メニュー画面（タッチパネル付き表示画面）を出力している状態において（ステップＡ１）、顧客から要望された種類が選択指定されると（ステップＡ２）、指定された種類に基づいて家具情報ファイル１１内の「商品種別分類」を検索し、該当する「商品コード」群を読み出すと共に、この商品コード群に基づいて家具画像ファイル１２から対応する商品画像群を読み出し（ステップＡ３）、この商品画像群を一覧表示させる（ステップＡ４）。
【００２７】
この一覧表示画面内の商品画像群の中から購入検討商品が選択指定された場合には（ステップＡ５）、指定商品の商品画像を拡大表示させる（ステップＡ６）。この場合、顧客は商品の素材、色等を確認することができるが、好みの商品でなければ、上述の一覧表示画面の中から他の商品を選び直せばよい。このようにして希望商品が選択指定されると、その商品を設置する部屋の画像を呼び出す為の操作を行う。すなわち、キー操作等によって部屋選択を指示すると（ステップＡ７）、ユーザ指定画面が表示される（ステップＡ８）。
【００２８】
このユーザ指定画面は、ユーザ情報を入力する為の入力画面であり、その顧客名をユーザ情報として入力すると（ステップＡ９）、ＣＰＵ１は、入力された顧客名に基づいて部屋情報ファイル１３内の「ユーザ名」を検索し、該当する「部屋名称」を読み出して（ステップＡ１０）、当該顧客の部屋名を一覧画面に表示出力させる（ステップＡ１１）。この状態において、希望する部屋が選択指定されると（ステップＡ１２）、この指定部屋に基づいて部屋画像ファイル１４を検索し、該当する部屋画像を読み出して拡大表示させる（ステップＡ１３）。
【００２９】
このように商品画像および部屋画像が拡大表示されている状態において、この商品画像を部屋画像内に配置すべきことが指示された場合には（図８のステップＡ１４）、当該商品対応のサイズ情報を家具情報ファイル１１から読み出すと共に、当該部屋のサイズ情報を部屋情報ファイル１３から読み出し（ステップＡ１５）、これらのサイズ情報を比較することによって（ステップＡ１６）、部屋内に商品を適正に配置可能か否かを判別する（ステップＡ１７）。その際、横幅、高さ、奥行の寸法を総合的に比較して配置可能かをチェックし、配置不可能であれば、この商品対応の「アイテム分類」に基づいて家具情報ファイル１１を検索し（ステップ１８）、同種の他の商品が無ければ（ステップＡ１９）、その旨を示すメッセージを案内表示した後に、初期メニュー画面に戻るが（ステップＡ１）、同種の他の商品が有れば、その商品に関するサイズ情報を読み出す（ステップＡ２０）。
【００３０】
そして、上述のサイズ比較処理（ステップＡ１６）に戻り、この指定商品が部屋内に適正配置可能か否かを判別する。以下、適正に配置可能であることが判別されたり、同種の他の商品を全て選択し終わるまで上述のサイズ比較処理を繰り返す。いま、商品を部屋内に適正配置可能であることが判別された場合には（ステップＡ１７でＹＥＳ）、その旨をガイダンス表示し、購入すべきことを推奨する（ステップＡ２１）。その後、商品画像と部屋画像とを合成する為の前処理として画像調整処理が行われる（ステップＡ２２）。
【００３１】
図９は、この画像調整処理を詳述する為のフローチャートである。
先ず、ＣＰＵ１は、商品のサイズ情報と部屋のサイズ情報とに基づいて横幅、高さ、奥行の寸法毎にその比率を求めた後（ステップＢ１）、この比率に応じて画像サイズの調整を行う（ステップＢ２）。この場合、部屋画像を基準として商品画像の大きさを調整したり、逆に、商品画像を基準として部屋画像の大きさを調整してもよいが、この実施形態においては、合成画像を表示する表示領域サイズに応じて部屋画像および商品画像の大きさを比率にしたがってそれぞれ調整するようにしている。
【００３２】
次に、部屋対応の「撮影方向」を部屋画像ファイル１４から読み出し（ステップＢ３）、この「撮影方向」に応じて商品画像を回転処理することによって商品の配置向きを調整する（ステップＢ４）。この場合、例えば、「撮影方向」が“北東方向”、“下向き４５度”であれば、垂直軸を中心とした“北東方向”への回転と、水平軸を中心とした“下向き４５度”への回転がそれぞれ行われる。次に、部屋対応の「照明」を部屋画像ファイル１４から読み出し（ステップＢ５）、この「照明」の“有／無”に応じて商品画像の光沢を調整する（ステップＢ６）。更に、部屋画像と商品画像の色調、ドット密度を解析し（ステップＢ７）、この色調、ドット密度に応じて部屋画像および商品画像を調整する（ステップＢ８）。なお、部屋画像の色調、ドット密度を基準として商品画像の色調、ドット密度を調整するようにしてもよく、逆に、商品画像の色調、ドット密度を基準として部屋画像の色調、ドット密度を調整するようにしてもよい。
【００３３】
このような画像調整処理が終了すると、調整後の部屋画像内に商品画像を配置合成すると共に（図８のステップＡ２３）、この合成画像を表示出力させる（ステップＡ２４）。ここで、顧客からの要望によって商品の配置場所の変更が指示された場合には（ステップＡ２５）、商品位置移動処理が行われる。すなわち、合成画像が表示されている画面上において、例えば、希望する場所がタッチ指示されると（ステップＡ２５）、その指定場所へ商品画像を移動させる（ステップＡ２６）。この場合、移動先に応じて商品画像を回転させる処理も合わせて行われる。これによって新たな合成画像が生成されて（ステップＡ２３）、表示出力される（ステップＡ２４）。以下、商品の配置場所の変更が指示される毎に、上述の商品位置移動処理が繰り返される。ここで、商品購入の申し込みを受けた場合には（ステップＡ２７）、購入伝票を作成して印刷出力させる（ステップＡ２８）。その後、図７のステップＡ１に戻り、初期メニュー画面に戻る。
【００３４】
以上のように、この第１実施形態においてＣＰＵ１は、家具情報ファイル１１、家具画像ファイル１２、部屋情報ファイル１３、部屋画像ファイル１４を参照し、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置し、この合成画像を顧客に対して案内出力するようにしたから、顧客にあっては、購入検討商品を実際の部屋に配置した時の雰囲気や調和性を確かめたり、部屋のサイズに適合するか否かを確かめながら商品を購入することができ、現実味のあるリアルティに富んだ商品選択によって返品等の問題を解消することができる他、購買意欲の高まりによって販売促進も期待することが可能となる。
【００３５】
この場合、ＣＰＵ１は、部屋を撮影した時の照明状態に基づいて商品画像の光沢を調整したり、部屋画像、商品画像の色調、ドット密度に応じて画像調整を行うようにしたから、更に、現実味を増すことが可能となる。
また、ＣＰＵ１は、部屋画像内に合成された商品画像の配置位置の変更が指定された場合に、部屋内の指定場所へ商品画像を移動してその配置位置を変更するようにしたから、場所毎に置いた時の調和や雰囲気を確かめながら最適な位置に商品を配置し直すことができ、商品購入後の再配置等の手間もなくなる。
【００３６】
一方、ＣＰＵ１は、商品を設置する部屋の実サイズと商品の実サイズとの比率に基づいて商品を適正に配置可能か否かを判別した結果、配置不能であれば、同種の他の商品を指定した後に、この指定商品の実サイズと部屋の実サイズとに基づいて当該指定商品を適正に配置可能か否かを判別する動作を繰り返し、適正に配置可能であれば、その商品を顧客に対して案内するようにしたから、顧客自身が部屋のサイズに適合するか否かを１つずつ確かめなくても、部屋の実サイズに適合する商品のみを即座に知ることができ、効率の良い買い物が可能となる。
【００３７】
なお、上述した第１実施形態においては、部屋の実サイズを部屋の全体サイズとしたが、商品を実際に設置する部屋内の場所サイズであってもよい。
また、顧客情報入力装置９は、顧客所持の携帯電話やＰＤＡ等の携帯情報端末あるいはＤＶＤ等の記録媒体が差し込まれた際に、顧客によって撮影された部屋画像やその部屋に関するサイズ情報を取り込んでＣＰＵ１へ転送するようにしたが、部屋のサイズに関する情報は、キー操作によって入力するようにしてもよい。また、販売対象としては、家具に限らず、電化製品、インテリア製品等であってもよい。
【００３８】
また、上述した商品販売装置は、スタンド・アローン・タイプに限らず、その各構成要素が２以上の筐体に物理的に分離され、通信回線やケーブル等の有線伝送路あるいは電波、マイクロウエーブ、赤外線等の無線伝送路を介してデータを送受信する分散型のコンピュータシステムを構成するものであってもよい。また、電子キャッシュレジスタに画像合成機能を付加したものであってもよい。
【００３９】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、商品を撮影した商品画像と顧客の部屋を撮影した部屋画像とを合成する際に、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置する機能と、この合成画像を顧客に対して案内出力する機能とを実現させるためのプログラムを記録したコンピュータが読み取り可能な記録媒体を提供するようにしてもよい。
【００４０】
また、コンピュータが読み取り可能なプログラムコードを有する記録媒体であって、商品を設置する部屋の実サイズと商品の実サイズとの比率に基づいて商品を適正に配置可能か否かを判別する機能と、配置不能であることが判別された場合には、同種の他の商品を指定する機能と、指定された商品の実サイズと部屋の実サイズとに基づいて当該指定商品を適正に配置可能か否かを判別する動作を繰り返した結果、適正に配置可能な商品であることが判別された場合には、その商品を顧客に対して案内する機能とを実現させるためのプログラムを記録したコンピュータが読み取り可能な記録媒体を提供するようにしてもよい。
【００４１】
（第２実施形態）
以下、この発明の第２実施形態について図１０〜図１２を参照して説明する。なお、上述した第１実施形態においては、実際の店舗（実店舗）内に設置されている商品販売装置に適用した場合を例示したが、この第２実施形態においては、インターネットを介して商品（家具）を販売するネットショップ（仮想店舗）を運営管理するサーバに適用したものである。
ここで、両実施形態において基本的に同一のものは、同一符号を付して示し、その説明を省略する他、以下、第２実施形態の特徴部分を中心に説明するものとする。
【００４２】
図１０は、ネット販売システムの全体構成を示したブロック図である。
このネット販売システム（広域通信システム）は、ネットショップを運営管理するサーバ２１を中核とし、このサーバ２１には、そのネット出店者である実際の店舗（実店舗）内に設置されている店舗内端末２２がネットワーク網（インターネット）２３を介して接続されていると共に、ネットショップの一般顧客であるユーザ端末（商品購入者端末）２４がネットワーク網２３を介して接続されているシステム環境となっている。
【００４３】
この場合、店舗内端末２２は、ネットショップへ出品する為のネット販売対象商品を実店舗で商取引される販売対象商品群の中から任意に選択指定し、このネット販売対象の商品に関する情報をサーバ２１へ送信するようにしている。
なお、この第２実施形態においては、例えば、ＴＣＰ／ＩＰ通信プロトコルを利用したＨＴＴＰプロトコル等によって、サーバ２１と各端末２２、２４との間でデジタル化（パケット化）されたデータの送受信を行うようにしており、サーバ２１は、データベースサーバ機能、Ｗｅｂサーバ機能等を有し、各端末２２、２４は、Ｗｅｂブラウザ機能を有している。
【００４４】
サーバ２１には、店舗別商品データベース（ＤＢ）２５が設けられており、店舗内端末２２からネット販売対象の商品に関する情報が送信されて来た場合に、このネット販売商品に関する情報を店舗別商品データベース２５に登録する。この店舗別商品データベース２５は、店舗別に各種の商品に対応して「商品名」、「横幅寸法」、「高さ寸法」、「奥行き寸法」、「商品種別分類」、「アイテム分類」、「画像情報」の各項目を有し、基本的には、上述の第１実施形態で示した家具情報ファイル１１、家具画像ファイル１２を併せ持った構成となっている。
【００４５】
図１１および図１２は、第２実施形態において、店舗内端末２２あるいはユーザ端末（商品購入者端末）２４からのアクセス要求に応じて実行開始されるサーバ２１の動作を示したフローチャートである。
先ず、サーバ２１は、店舗内端末２２あるいはユーザ端末（商品購入者端末）２４からのアクセス要求を受け取ると、メニューページ（先頭のＷｅｂページ）を要求元端末へ送信する（ステップＣ１）。このメニューページは、店舗内端末２２がネット販売商品に関する情報を登録する際に選択される項目である  “商品登録”と、ユーザ端末（商品購入者端末）２４が掲載商品を閲覧する際に選択される項目である“商品案内”等が含まれており、このメニューページ内の項目選択操作に応答して店舗内端末２２から返信されて来た当該選択項目を受信すると、サーバ２１は、その選択項目の種類を判別する（ステップＣ２）。
【００４６】
いま、メニューページ内から“商品登録”の項目が選択された場合には（ステップＣ３でＹＥＳ）、予め登録されている会員店舗であることをチェックする認証処理を行い、会員店舗であることを条件に（ステップＣ４）、商品登録ページを要求元の店舗内端末２２へ送信する（ステップＣ５）。ここで、店舗内端末２２からネット販売商品に関する情報を受信すると（ステップＣ６）、サーバ２１は、このネット販売商品に関する情報を店舗別商品データベース２５に新規登録あるいは変更登録する（ステップＣ７）。これによって店舗別商品データベース２５には、店舗別に各種の商品に対応して「商品名」、「横幅寸法」、「高さ寸法」、「奥行き寸法」、「画像情報」が登録される。
【００４７】
一方、上述のメニューページ内の“商品案内”が選択されて購入検討商品が指定された場合には（ステップＣ８）、その商品案内ページを要求元のユーザ端末２４へ送信する（ステップＣ９）。この商品案内ページ内には、指定された商品画像とその商品説明（サイズ情報を含む）が案内表示される他、その商品を実際の部屋に配置した時の雰囲気や調和性を確かめたり、部屋のサイズに適合するか否かを確かめる為の「確認要求ボタン」が設けられている。ここで、ユーザ端末２４側において商品案内ページ内の「確認要求ボタン」が操作されると（ステップＣ１０）、サーバ２１は、商品を配置する部屋を撮影して送信すべきことを指示する（ステップＣ１１）。
【００４８】
ユーザ端末２４から送信されて来た部屋画像を受信すると（ステップＣ１２）、この部屋画像を解析することによって当該画像内に含まれている判定対象物（例えば、一般的な電化製品、インテリア製品、煙草の箱、窓枠等）を特定し、この対象物のサイズを読み出す。すなわち、判定対象物として予め用意されている各種の画像（図示せず）と、今回受信取得した部屋画像とを順次比較することによって何れかの判定対象物に近似している画像要素が部屋画像内に含まれているか否か判別し（ステップＣ１３）、判定対象物が含まれている場合には、それを特定してその「横幅寸法」、「高さ寸法」、「奥行き寸法」を読み出す（ステップＣ１４）。これによって得られた判定対象物の実サイズを基準値として部屋の全体サイズ（実サイズ）を算出する（ステップＣ１５）。
【００４９】
また、部屋画像を解析した結果、判定対象物が含まれていない場合には（ステップＣ１３でＮＯ）、部屋のサイズ（部屋の全体サイズ／商品を設置する場所サイズ）を実測して送信すべきことをユーザ端末２４へ指示する（ステップＣ１６）。これによって、ユーザ端末２４から送信されて来た部屋の全体サイズ／場所サイズの実測値を受信取得する（ステップＣ１７）。
【００５０】
そして、商品サイズと部屋の全体サイズ／場所サイズとを比較することによって（ステップＣ１８）、部屋内に商品を適正に配置可能か否かを判別する（ステップＣ１９）。この場合、横幅、高さ、奥行の寸法を総合的に比較して配置可能かをチェックし、配置不可能であれば、この商品対応の「アイテム分類」に基づいて店舗別商品データベース２５を検索し（ステップＣ２０）、同種の他の商品が有れば（ステップＣ２１）、それを選択指定してこ商品に関するサイズ情報を読み出す（ステップＣ２２）。そして、上述のサイズ比較処理（ステップＣ１８）に戻り、この指定商品が部屋内に適正配置可能か否かを判別する。以下、適正に配置可能であることが判別されたり、同種の他の商品を全て選択し終わるまで上述のサイズ比較処理を繰り返す。
【００５１】
いま、商品を部屋内に適正配置可能であることが判別された場合には（ステップＣ１９でＹＥＳ）、上述した第１実施形態と同様、商品画像と部屋画像とを合成する前には画像調整処理が実行される（ステップＣ２３）。すなわち、部屋のサイズと商品のサイズとの比率に応じて画像サイズを調整すると共に、部屋を撮影した撮影方向に応じて商品画像を回転処理することによって商品画像の向きを部屋画像の撮影方向に調整し、更には、商品画像の光沢を調整、色調、ドット密度を調整する。そして、当該商品画像を部屋画像内に合成配置した後（ステップＣ２４）、この合成画像をユーザ端末２４へ案内送信する（ステップＣ２５）。ここで、部屋画像内に合成された商品画像の配置位置の変更が指定された場合には（ステップＣ２６）、部屋内の指定場所へ商品画像を移動してその配置位置の変更処理を実行した後（ステップＣ２７）、変更後の合成画像をユーザ端末２４へ案内送信する（ステップＣ２４、Ｃ２５）。
【００５２】
以上のように、この第２実施形態においてサーバ２１は、ユーザ端末２４から購入検討商品が指定された場合に、その指定商品対応の商品画像と商品サイズを取得すると共に部屋の画像を受信取得した後、この商品を設置する部屋のサイズと商品のサイズとの比率に応じて画像サイズを調整したり、部屋を撮影した撮影方向に応じて商品画像を回転処理することによって商品画像の向きを部屋画像の撮影方向に調整して当該商品画像を部屋画像内に合成配置し、この合成画像を顧客側の端末へ案内出力するようにしたから、ネットワークを介して商品を購入する場合においても、顧客は、購入検討商品を実際の部屋に配置した時の雰囲気や調和性を確かめたり、部屋のサイズに適合するか否かを確かめながら商品を購入することができ、現実味のあるリアルティに富んだ商品選択によって返品等の問題を解消することができる他に、購買意欲の高まりによって販売促進も期待することが可能となる。
【００５３】
また、サーバ２１は、商品を設置する部屋の実サイズと商品の実サイズとの比率に基づいて商品を適正に配置可能か否かを判別した結果、配置不能であれば、同種の他の商品を指定した後に、この指定商品の実サイズと部屋の実サイズとに基づいて当該指定商品を適正に配置可能か否かを判別する動作を繰り返し、適正に配置可能であれば、その商品を顧客に対して案内するようにしたから、顧客自身が部屋のサイズに適合するか否かを１つずつ確かめなくても、部屋の実サイズに適合する商品のみを即座に知ることができ、効率の良い買い物が可能となる。この場合、部屋の実サイズは、部屋の全体サイズであってもよく、また、商品を実際に設置する部屋内の場所サイズであってよい。
【００５４】
なお、上述した第２実施形態においては、ネットショップ（仮想店舗）を例示したが、ネットショップの集合である仮想的な商店街（ショッピングモール）を運営管理するサーバに適用するようにしてもよい。また、販売対象としては、家具に限らず、電化製品、インテリア製品等であってもよい。
【００５５】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、顧客から購入検討商品が指定された場合に、その指定商品対応の商品画像と商品サイズを取得する機能と、顧客から購入検討商品を配置する部屋の画像を受信取得する機能と、前記購入検討商品の商品画像と前記顧客の部屋画像とを合成する際に、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置する機能と、この合成画像を顧客側の端末へ案内出力する機能とを実現させるためのプログラムを記録したコンピュータが読み取り可能な記録媒体を提供するようにしてもよい。
【００５６】
また、コンピュータが読み取り可能なプログラムコードを有する記録媒体であって、顧客から購入検討商品が指定された場合に、その指定商品の実サイズを取得する機能と、顧客から購入検討商品を配置する部屋の実サイズを受信取得する機能と、商品を設置する部屋の実サイズと商品の実サイズとの比率に基づいて商品を適正に配置可能か否かを判別する機能と、この結果、配置不能であることが判別された場合には、同種の他の商品を指定する機能と、指定された商品の実サイズと部屋の実サイズとに基づいて当該指定商品を適正に配置可能か否かを判別する動作を繰り返した結果、適正に配置可能な商品であることが判別された場合には、その商品を顧客側の端末に対して案内出力する機能とを実現させるためのプログラムを記録したコンピュータが読み取り可能な記録媒体を提供するようにしてもよい。
【００５７】
【発明の効果】
第１および発明（請求項１記載の発明）および第２の発明（請求項２記載の発明）によれば、商品を設置する部屋のサイズと商品のサイズとの比率に応じて画像サイズを調整すると共に、部屋を撮影した撮影方向に応じて商品画像を回転処理することによって商品画像の向きを部屋画像の撮影方向に調整して当該商品画像を部屋画像内に合成配置し、この合成画像を顧客に対して案内出力するようにしたから、顧客にあっては、購入検討商品を実際の部屋に配置した時の雰囲気や調和性を確かめたり、部屋のサイズに適合するか否かを確かめながら商品を購入することができ、現実味のあるリアルティに富んだ商品選択によって返品等の問題を解消することができる他、購買意欲の高まりによって販売促進も期待することが可能となる。
第３および発明（請求項５記載の発明）および第４の発明（請求項６記載の発明）によれば、商品を設置する部屋の実サイズと商品の実サイズとの比率に基づいて商品を適正に配置可能か否かを判別した結果、配置不能であれば、同種の他の商品を指定した後に、この指定商品の実サイズと部屋の実サイズとに基づいて当該指定商品を適正に配置可能か否かを判別する動作を繰り返し、適正に配置可能であれば、その商品を顧客に対して案内するようにしたから、顧客自身が部屋のサイズに適合するか否かを１つずつ確かめなくても、部屋の実サイズに適合する商品のみを即座に知ることができ、効率の良い買い物が可能となる。
【図面の簡単な説明】
【図１】図１は、この実施形態における店舗（家具店）内に設置されている商品販売装置の基本的構成要素を示したブロック図。
【図２】記憶装置２内に格納されている各種のファイルを示した図。
【図３】家具情報ファイル１１の内容を説明する為の図。
【図４】家具画像ファイル１２の内容を説明する為の図。
【図５】部屋情報ファイル１３の内容を説明する為の図。
【図６】部屋画像ファイル１４の内容を説明する為の図。
【図７】商品画像と部屋画像とを合成した合成画像を生成して案内表示する場合の動作を示したフローチャート。
【図８】図７に続くフローチャート。
【図９】図８で示した画像調整処理を詳述する為のフローチャート。
【図１０】ネット販売システムの全体構成を示したブロック図。
【図１１】店舗内端末２２あるいはユーザ端末（商品購入者端末）２４からのアクセス要求に応じて実行開始されるサーバ２１の動作を示したフローチャート。
【図１２】図１１に続くフローチャート。
【符号の説明】
１  ＣＰＵ
２  記憶装置
４  通信装置
５  入力装置
６  表示装置
８  ＣＣＤカメラ
１１  家具情報ファイル
１２  家具画像ファイル
１３  部屋情報ファイル
１４  部屋画像ファイル
２１  サーバ
２２  店舗内端末
２３  ネットワーク網
２４  ユーザ端末（商品購入者端末）
２５  店舗別商品データベース
【図１】
2004318359.tif 000003
【図２】
2004318359.tif 000004
【図３】
2004318359.tif 000005
【図４】
2004318359.tif 000006
【図５】
2004318359.tif 000007
【図６】
2004318359.tif 000008
【図７】
2004318359.tif 000009
【図８】
2004318359.tif 000010
【図９】
2004318359.tif 000011
【図１０】
2004318359.tif 000012
【図１１】
2004318359.tif 000013
【図１２】
2004318359.tif 000014